(57)【特許請求の範囲】
【請求項１】
少なくとも平面視で方形状の四隅に垂直状態でそれぞれ立設された縦桟と、該縦桟のうち対向する縦桟の上下端部をそれぞれ連結する連結部材と、前記対向する一対の縦桟の苗箱の出し入れ方向と直交する左右幅方向の対向面側にそれぞれ固定されて前記苗箱の底面両端部が載置可能な棚部を形成する長尺状の翼板と、を備え、
前記翼板は、その載置部の複数箇所が前記苗箱の底面両端部と略線接触状態で接触可能に構成されると共に、所定幅の複数の翼板部材を有し、各翼板部材の幅方向の端部が係合手段で連結固定されることにより、全体が所望の幅に設定されていることを特徴とする苗箱収納棚。
【請求項２】
前記翼板は、前記載置部の幅方向の複数箇所に長手方向の全域に亘って設けられた長尺状の凸部を有し、該各凸部の頂部に複数の突条もしくは溝が設けられていることを特徴とする請求項１に記載の苗箱収納棚。
【請求項３】
前記凸部は、断面略三角形状に形成されると共に、前記突条が形成される頂部が所定幅の平坦面で形成されていることを特徴とする請求項２に記載の苗箱収納棚。
【請求項４】
前記縦桟と翼板がアルミニウム材で形成されると共に、前記縦桟のうち前後方向の両端部に位置する縦桟とこれに対応した翼板が、予め溶接固定されることにより一体化されてユニット化されていることを特徴とする請求項１ないし３のいずれかに記載の苗箱収納棚。
【発明の詳細な説明】
【技術分野】
【０００１】
本発明は、ビニールハウス等の温室で育成した稲や各種野菜の苗箱が収納されて、例えば温室等から田圃や畑に移動する際に軽トラック等の運搬車の荷台に搭載されて使用される苗箱収納棚に関する。
【背景技術】
【０００２】
従来、この種の苗箱収納棚としては、例えば特許文献１に開示されている。この苗箱収納棚は、左右幅方向両端部及びその中間にそれぞれ位置する前後一対の３組の縦桟と、この各縦桟のうち前後方向に対向する縦桟の対向面側に、上下方向に所定間隔で固定された所定本数の横桟と、前記前後３組の縦桟の上下端部をそれぞれ連結する一対２組（合計４本）の連結部材等を有している。そして、各縦桟間には、苗箱の底面両端部が載置されてスライドする長尺状の翼板がそれぞれ固定されており、この対向する一対の翼板で棚部が二列状態で形成され、この棚部に苗箱が収納もしくは引き出し（出し入れ）可能となっている。
【先行技術文献】
【特許文献】
【０００３】
【特許文献１】特許第３４３４６５６号公報
【発明の概要】
【発明が解決しようとする課題】
【０００４】
しかしながら、このような苗箱収納棚にあっては、苗箱がスライド移動する翼板が長尺状の略平板形状に形成されているため、翼板が苗箱の底面両端部と略面接触状態で接触してその接触面積が大きくなり、苗箱の棚部への出し入れ時の移動をスムーズに行い難い。特に、苗箱の収納個数を多くするために横桟の長さ等を長くした場合には、既に棚部内に収納されている苗箱を新たに収納しようとする苗箱で押しながら収納する必要があり、このような場合に、２つの苗箱をスムーズに移動させる作業が、例えば作業者が高齢者や女性であったり、あるいは稲用の苗箱のように苗箱自体の重量が重い場合等に、スムーズな移動が困難になり易い。
【０００５】
本発明は、このような事情に鑑みてなされたもので、その目的は、棚部を形成する翼板と苗箱の底面両端部との接触を複数の略線接触状態として接触面積を小さくし、苗箱の棚部内における移動がスムーズとなり、苗箱の出し入れ作業を容易に行い得る苗箱収納棚を提供することにある。
【課題を解決するための手段】
【０００６】
かかる目的を達成すべく、本発明のうち請求項１に記載の発明は、少なくとも平面視で方形状の四隅に垂直状態でそれぞれ立設された縦桟と、該縦桟のうち対向する縦桟の上下端部をそれぞれ連結する連結部材と、前記対向する一対の縦桟の苗箱の出し入れ方向と直交する左右幅方向の対向面側にそれぞれ固定されて前記苗箱の底面両端部が載置可能な棚部を形成する長尺状の翼板と、を備え、前記翼板は、その載置部の複数箇所が前記苗箱の底面両端部と略線接触状態で接触可能に構成されると共に、所定幅の複数の翼板部材を有し、各翼板部材の幅方向の端部が係合手段で連結固定されることにより、全体が所望の幅に設定されていることを特徴とする。
【０００７】
また、請求項２に記載の発明は、前記翼板が、前記載置部の幅方向の複数箇所に長手方向の全域に亘って設けられた長尺状の凸部を有し、該各凸部の頂部に複数の突条もしくは溝が設けられていることを特徴とする。また、請求項３に記載の発明は、前記凸部が、断面略三角形状に形成されると共に、前記突条が形成される頂部が所定幅の平坦面で形成されていることを特徴とする。さらに、請求項４に記載の発明は、前記縦桟と翼板がアルミニウム材で形成されると共に、前記縦桟のうち前後方向の両端部に位置する縦桟とこれに対応した翼板が、予め溶接固定されることにより一体化されてユニット化されていることを特徴とする。
【発明の効果】
【０００８】
本発明のうち請求項１に記載の発明によれば、各縦桟の対向面側にそれぞれ固定されて苗箱の底面両端部が載置可能な棚部を形成する翼板が、その載置部の複数箇所が苗箱の底面両端部と略線接触状態で接触可能に構成されているため、翼板の載置部と苗箱の底板両端部の接触面積（接触抵抗）を小さくできて、対向する翼板の載置部で形成される棚部内における苗箱のスライド移動がスムーズとなり、作業者が高齢者等であっても、また苗箱自体の重量が重い場合等であっても、苗箱の出し入れ作業を容易に行うことができる。
【０００９】
また、翼板が所定幅の複数の翼板部材を有し、各翼板部材の幅方向の端部が係合手段で連結固定されることで全体が所望の幅に設定されているため、例えば翼板として比較的大きな幅を必要とする場合に、複数の翼板部材に分割して連結することで、各部材の押し出し成型等を容易に行うことができて、複雑な形状の翼板であっても、簡単かつコスト安価に形成することができる。
【００１０】
また、請求項２に記載の発明によれば、請求項１に記載の発明の効果に加え、翼板が、載置部の幅方向の複数箇所に設けられた長尺状の凸部を有し、この各凸部の頂部に翼板の長手方向に沿って複数の突条や溝がそれぞれ設けられているため、複数の突条が苗箱の底面両端部に線接触し、苗箱のスライド移動を一層スムーズに行うことができる。
【００１１】
また、請求項３に記載の発明によれば、請求項２に記載の発明の効果に加え、断面三角形状の翼板の凸部の頂部に所定幅の平坦面が形成されているため、複数の突条や溝を凸部に簡単に形成できると共に、凸部上に苗箱の底面両端部を安定支持できて、多数の苗箱が収納された苗箱収納棚を移動させる際等において、苗箱を棚部内に安定して収納維持することができる。
【００１２】
また、請求項４に記載の発明によれば、請求項１ないし３に記載の発明の効果に加え、前後一対の縦桟とこれに対応した翼板がアルミニウム材で形成され、これらが予めそれぞれ溶接固定されることで一体化されてユニット化されているため、苗箱収納棚の軽量化を図ることができると共に、部材数を低減させて、例えば現場への運搬や現場での組み立て等の作業を容易に行うことができる。
【図面の簡単な説明】
【００１３】
【図１】本発明に係わる苗箱収納棚の基本的な実施形態を示す斜視図
【図２】同その正面図
【図３】同翼板の平面図
【図４】同図３のＡ−Ａ線に沿った断面図
【図５】同図４のＢ部の拡大図
【図６】同翼板の固定状態の一例を示す説明図
【図７】同翼板の具体的な実施例を示す正面図
【図８】同翼板の変形例を示す図４と同様の断面図
【発明を実施するための形態】
【００１４】
以下、本発明を実施するための形態を図面に基づいて詳細に説明する。
図１〜図６は、本発明に係わる苗箱収納棚の基本的な実施形態を示している。図１及び図２に示すように、苗箱収納棚１は、左右幅方向イの両端部に配置された一対の外桟ユニット２と、この各外桟ユニット２間の中間位置に配置された内桟ユニット３と、各外桟ユニット２と内桟ユニット３の前後方向ロ（苗箱の出し入れ方向）両端の上下端部をそれぞれ連結する合計４本の連結部材４等を備えている。
【００１５】
前記一対の外桟ユニット２は、左右対称形状に形成され、前後方向ロの両端に垂直状態で立設された前後一対の縦桟２ａと、この縦桟２ａの左右幅方向イの一方の対向面側に溶接固定された翼板５を有している。また、前記内桟ユニット３は、外桟ユニット２と同一高さの前後一対の縦桟３ａと、この縦桟３ａの左右幅方向イの両対向面側にそれぞれ溶接固定された翼板５を有している。なお、前記縦桟２ａ、３ａは、例えばアルミニウム材の押し出し成型により所定の外形形状（正方形状もしくは長方形状）の角パイプにより形成されている。
【００１６】
そして、左右一対の外桟ユニット２の中間部分に内桟ユニット３が位置し、外桟ユニット２の翼板５が内側である内桟ユニット３側に位置する状態で、外桟ユニット２と内桟ユニット３の前後の上下端部が連結部材４でそれぞれ連結されることにより、苗箱収納棚１の外形形状が直方体形状の略格子状に形成されている。つまり、左右一対の外桟ユニット２の４本の縦桟２ａが平面視で長方形状の四隅に立設された状態となっている。また、外桟ユニット２と内桟ユニット３の対向する縦桟２ａ、３ａの対向面側に固定された前記翼板５により、該翼板５上に苗箱６（図６参照）が収納可能な棚部７が左右方向に二列状態で多数形成されている。
【００１７】
なお、苗箱収納棚１の前後の各縦桟２ａ、３ａ間の上下の連結部材４の中間位置には、アルミニウム製もしくは鉄鋼製の苗箱脱落防止棒８が差し込み及び取り外し可能に装着されるようになっている。また、前記苗箱収納棚１の底面には、所定高さの脚１１が溶接固定されている。この脚１１は、例えば断面略方形状でその角度が面取りされたアルミパイプで形成され、その上端が連結部材４の下面や、あるいは苗箱収納棚１が底板を有する場合は、この底板下面に溶接固定されている。そして、この脚１１間に、フォークリフトの爪が挿入可能な開口が形成されている。
【００１８】
前記翼板５は、図３〜図５に示すように、アルミニウム材の押し出し成型により、所定長さで所定幅ｗ（例えば２５０ｍｍ程度）の長尺形状に形成されて、固定部５ａ及び載置部５ｂを有して断面略Ｌ次形状に形成されている。この固定部５ａは、所定高さｈを有する平板状に形成され、この固定部５ａの下端に、略直角状態で水平方向に延設されてその上面側に苗箱載置面が形成される所定幅ｗの前記載置部５ｂが一体成型されている。
【００１９】
そして、前記載置部５ｂは、その断面（正面）形状が、４つの略三角形を有する、すなわち４つの凸部９を有する如く波形形状に形成され、各凸部９の頂部には、所定幅ｗ１の平坦面９ａが形成されると共に、この平坦面９ａには、複数（図４では７つ）の突条９ｂ（及び溝９ｃ）が形成されている。この凸部９や突条９ｂ等は、翼板５の長手方向（前後方向ロ）の全域に亘って形成されており、この凸部９の平坦面９ａに形成された突条９ｂ上に、苗箱６の底面両端部が、複数の線接触状態で載置されることになる。なお、翼板５の載置部５ｂの長手方向の両端部には、切欠き１０が形成されることにより角部のない状態とされて、苗箱６の出し入れ作業時の安全性等が確保されるようになっているが、この切欠き１０は必ずしも必要ではなく、図の二点鎖線ａで示すように省略することも可能である。
【００２０】
ところで、前記翼板５は、例えば図６に示すようにして、各縦桟２ａ、３ａに固定されている。すなわち、外桟ユニット２の翼板５は、その固定部５ａが縦桟２ａの一方の対向面に溶接固定され、また、内桟ユニット３の翼板５は、その固定部５ａ縦桟３ａの両側の対向面にそれぞれ溶接固定されている。このとき、対向する翼板５の載置部５ｂ間の間隔ｗ２は、苗箱収納棚１に収納される稲用とか野菜用とかの苗箱６の形態に応じて所定に設定されると共に、前記棚部７の高さ（すなわち翼板５間の間隔）等も、収納する苗箱６の形態に対応するように設定されている。
【００２１】
このように構成された苗箱収納棚１は、一対の外桟ユニット２及び内桟ユニット３が、収納する苗箱６の数に応じた形状で、予め工場で溶接固定等により組み付けられて一体化されてユニット化されると共に、４本の連結部材４及び該連結部材４を各ユニット２、３に固定するためのボルトや連結板、苗箱脱落防止棒８及び該脱落防止棒８の安易な抜けを防止するスナップピン、組み立て用の工具等の各部材等と共にセットとして出荷される。
【００２２】
そして、ユーザーは、これらのセットされた各部材を作業現場で組み立てることで苗箱収納棚１が完成して使用状態とされる。このとき、苗箱収納棚１が大きく３つの桟ユニット２、３と４本の連結部材４で構成されていることから、その部材数を削減できて、組み立て作業が容易に行えることになる。また、一対の外桟ユニット２、内桟ユニット３や連結部材４等がアルミニウム材で形成されていることから、その軽量化が図れて、運搬や組み立て作業が一層容易に行えることになる。
【００２３】
この組み立てられた苗箱収納棚１は、軽トラック等の荷台上に搭載され、温室等で育成された稲用の苗箱６や各種野菜用の苗箱６が、該苗箱６の形態に応じて横向きや縦向きで苗箱収納棚１の各棚部７に、苗箱６の出し入れ方向である前後方向ロから収納されて、田圃や畑に運搬される。この苗箱６の苗箱収納棚１への収納作業は、作業者が苗箱６を棚部７内に押し込むことで、苗箱６の底面両端部が棚部７の翼板５の載置部５ｂ上に載置されつつ収納されるが、このとき、苗箱６と翼板５が４つの頂部に形成された複数の突条９ｂに接触、すなわち複数の線接触状態で収納される。したがって、苗箱６と翼板５の載置部５ｂの接触面積が従来の面接触状態に比較して小さくなり、両者間の接触抵抗も小さくなって、苗箱６を棚部７に押し込んだ際に、該苗箱６がスムーズに翼板５の載置部５ｂ上をスライド移動することになる。
【００２４】
これにより、１列の棚部７に複数の苗箱６を収納する場合であっても、既に収納されている苗箱６を新たに収納しようする苗箱６で軽く押圧するだけで、大きな押圧力を必要とすることなく苗箱６を棚部７内に良好に収納できて、作業者が高齢者や女性であっても、あるいは稲用の苗箱６のように、苗箱６内の全面に敷設された土と育成された極めて多数の苗でその重量自体が重い場合であっても、苗箱６の棚部７内への収納作業が容易かつスムーズに行えることになる。このことは、田圃や畑で苗箱収納棚１から苗箱６を取り出す場合の作業についても同様である。なお、苗箱収納棚１を軽トラックで運搬する場合、前記苗箱脱落防止棒８を取り付けることで、苗箱６の棚部７からの飛び出し（脱落）が防止されるようになっている。
【００２５】
つまり、前記翼板５を使用した棚部７によれば、棚部７を構成する翼板５の載置部５ｂに、４つの凸部９を設けると共に、この凸部９頂部の平坦面９ａに複数本の突条９ｂを翼板５の長手方向の全域に亘って一体形成することで、棚部７に収納される苗箱６の底面両端部を複数の線接触状態で支持することができ、両者間の接触面積（接触抵抗）を小さくして、苗箱６の翼板５の載置部５ｂ上におけるスライド移動がスムーズに行えることになる。
【００２６】
このように、前記苗箱収納棚１によれば、一対の外桟ユニット２と内桟ユニット３の各縦桟２ａ、３ａの対向面側にそれぞれ固定されて、苗箱６の底面両端部が載置可能な棚部７を形成する翼板５が、固定部５ａと載置部５ｂを有すると共に、苗箱載置面を形成する載置部５ｂが、凸部９の突条９ｂにより、その幅方向の複数箇所において苗箱６の底面両端部と略線接触状態で接触可能に構成されているため、翼板５の載置部５ｂと苗箱６の底板両端部の接触面積（接触抵抗）を小さくできて、棚部７内における苗箱６のスライド移動をスムーズに行うことができる。その結果、作業者が高齢者等であっても、また苗箱６自体の重量が重い場合等であっても、苗箱６の棚部７に対する出し入れ作業を容易に行うことが可能になる。
【００２７】
特に、翼板５が載置部５ｂの幅方向の４箇所に設けた長尺状の凸部９を有し、この各凸部９頂部の平坦面９ａに翼板５の長手方向に沿って複数の突条９ｂ及び溝９ｃがそれぞれ設けられているため、複数の突条９ｂと苗箱６の底面両端部とが細い線接触状態となり、苗箱６のスライド移動を一層スムーズに行うことができる。また、４箇所の凸部９が断面三角形状でその頂部に所定幅の平坦面９ａが形成されて、この平坦面９ａに複数の突条９ｂ等が形成されているため、複数の突条９ｂや溝９ｃを凸部９に簡単に形成することができると共に、平坦面９ａにより凸部９上に苗箱６の底面両端部を安定支持できて、苗箱収納棚１を移動させる際であっても、苗箱６を棚部７内に安定して収納することができる。また、翼板５が断面波形形状に形成されているため、従来の平板形状に比較して翼板５自体の強度を高めることができて、その変形を防止することができる。
【００２８】
さらに、外桟ユニット２や内桟ユニット３の縦桟２ａ、３ａと翼板５がアルミニウム材の押し出し成型により形成されると共に、所定の縦桟２ａ、３ａ及び翼板５がそれぞれ溶接固定されて予め一体化されてユニット化されているため、苗箱収納棚１の軽量化を図りつつ部材数を低減して、例えば現場への運搬や現場での組み立て等の作業を容易に行うことができる。また、苗箱６が載置される翼板５の載置部５ｂに、凸部９や突条９ｂによりその長手方向に沿って溝が形成された状態となっているため、苗箱９の底部から漏れる水を溝に沿って翼板５の長手方向端部から排水できて、翼板５上への水の滞留が防止されて、翼板５や各桟ユニット２、３等の汚れやその劣化を防止することもできる。なお、翼板５の溝９ｃの底部に、その長手方向に沿って所定間隔で適宜形状の排水孔を形成するようにすれば、翼板５の排水性を一層向上させることができる。
【００２９】
そして、本発明の翼板５は、図７に示すように構成されている。以下、前記実施形態と同一部位には、同一符号を付して説明する。本発明の翼板５は、２枚の翼板部材５Ａ、５Ｂを有し、この各翼板部材５Ａ、５Ｂが幅方向に連結固定されている。すなわち、一方の翼板部材５Ａは、固定部５ａと載置部５ｂを有する正面視略Ｌ持形状に形成されると共に、載置部５ｂの端部に、係合凹部１３が翼板部材５Ａの長手方向の全域に一体形成されている。また、他方の翼板部材５Ｂは、載置部５ｂを有して略平板形状に形成され、その端部には係合凸部１４が翼板部材５Ｂの長手方向の全域に一体形成されている。
【００３０】
そして、翼板部材５Ａの係合凹部１３に翼板部材５Ｂの係合凸部１４を係合させ、該係合部分を溶接することで、一対の翼板部材５Ａ、５Ｂが一体化されて、載置部５ｂが所定の幅に設定されるようになっている。この例の翼板５においても、前記実施形態の翼板５と同様の作用効果が得られる他に、翼板５の幅があまり大きいと、押し出し成型自体が難しくコスト高になり易いが、幅を狭めることで各翼板部材５Ａ、５Ｂの押し出し成型が容易となり、翼板５のコストの低減化を図ることができる。
【００３１】
また、係合部分の溶接により翼板５の幅が広い場合であっても、係合部分が一種のリブとして機能して、その強度をより高めることができ、苗箱収納時の翼板５自体の変形等を確実に防止することができると共に、所定枚数の翼板部材を連結固定することで、所望幅の翼板５を形成できて、各種形態の苗箱６に的確に対応できるという作用効果を得ることができる。この例の場合、翼板部材５Ａ、５Ｂの係合手段を構成する係合凹部１３と係合凸部１４は、逆配置としても良いし、その形状も適宜の形状を採用することができる。また、係合部上面の平坦面９ａには、前記突条９ｂや溝９ｃを形成しても良いし形成しなくても良い。
【００３２】
図８は、翼板の変形例を示し、図８（ａ）に示す翼板５は、その載置部５ｂに断面三角形状の凸部９を複数（図では３つ）形成して、その頂部の平坦面（突条）を省略した形状とし、凸部９の尖った頂部を苗箱６の底面両端部に線接触状態で直接接触可能に構成したものである。また、図８（ｂ）に示す翼板５は、凸部９を断面方形状として、その頂部の平坦面９ａに複数の突条９ｂや溝９ｃを形成したものである。このように、載置部５ｂの凸部９の数や断面形状、頂部の形態等は、載置部５ｂと苗箱６の底面両端部が複数の線接触状態で接触可能な適宜の構成を採用することができる。この例の翼板５においても、前記実施形態と同様の作用効果を得ることができる。
【００３３】
なお、前記実施形態においては、苗箱収納棚１が、一対の外桟ユニット２とこの外桟ユニット２間に配置される内桟ユニット３の合計３つの桟ユニット２、３を有して、二列の棚部７を形成する構成としたが、本発明はこの構成に限定されず、例えば１対の外桟ユニット２のみで一列の棚部７を形成する構成としたり、内桟ユニット３を２つ設けて、三列の棚部７を形成する構成としても良い。また、前記実施形態においては、各ユニット２、３の縦桟２ａ、３ａ間を翼板５で連結する構造としたが、例えば各縦桟２ａ、３ａの翼板５の固定部位に対応させて、断面長方形状のアルミニウム製の角パイプからなる横桟を固定して、各ユニット２、３の強度アップを図るようにしても良い。
【００３４】
さらに、前記実施形態においては、苗箱収納棚１を、予め工場等で溶接固定した外桟ユニット２や内桟ユニット３を現場で組み立てる構成としたが、苗箱収納棚１全体を予め工場で組み立てるようにしても良い。また、前記実施形態における、翼板５の形状、縦桟２ａ、３ｂの数や形状、外桟ユニット２と内桟ユニット３の上下端部の連結構造等も一例であって、例えば翼板５の固定部５ａを省略して載置部５ｂの端部を縦桟２ａ、３ａ等に直接固定する等、本発明に係わる各発明の要旨を逸脱しない範囲において適宜の構成を採用することができる。
【産業上の利用可能性】
【００３５】
本発明は、軽トラック等のトラックの荷台上に搭載されて苗が育成された苗箱を田圃や畑に移動する際に使用される苗箱収納棚に限らず、例えば苗箱を温室内等で保管したり苗を育成する際等に使用される各種の苗箱収納棚にも利用できる。
【符号の説明】
【００３６】
１・・・・・・・苗箱収納棚
２・・・・・・・外桟ユニット
２ａ・・・・・・縦桟
３・・・・・・・内桟ユニット
３ａ・・・・・・縦桟
４・・  ・・・・連結部材
５・・・・・・・翼板
５Ａ、５Ｂ・・・翼板部材
５ａ・・・・・・固定部
５ｂ・・・・・・載置部
６・・・・・・・苗箱
７・・・・・・・棚部
８・・・・・・・苗箱脱落防止棒
９・・・・・・・凸部
９ａ・・・・・・平坦面
９ｂ・・・・・・突条
９ｃ・・・・・・溝
１０・・・・・・切欠き
１１・・・・・・脚
１３・・・・・・係合凹部
１４・・・・・・係合凸部
【図１】
0005800680.tif 000002
【図２】
0005800680.tif 000003
【図３】
0005800680.tif 000004
【図４】
0005800680.tif 000005
【図５】
0005800680.tif 000006
【図６】
0005800680.tif 000007
【図７】
0005800680.tif 000008
【図８】
0005800680.tif 000009